(57)【要約】【課題】不要な識別子を設定することなくリルート先のMMEとの接続を確立するための技術を提供することである。【解決手段】本発明の一態様は、ユーザ装置から接続要求を受信すると、前記ユーザ装置との接続処理を実行する接続要求処理部と、第１の管理装置から第２の管理装置へのリルートを指示するリルートメッセージを受信すると、前記第１の管理装置と前記ユーザ装置のためのS1接続を確立することなく、前記リルートメッセージにおけるNAS(Non Access Stratum)情報を前記第２の管理装置に送信するコアネットワーク接続部とを有する基地局に関する。【選択図】図９
2017038323.tif 000002
【特許請求の範囲】
【請求項１】
ユーザ装置から接続要求を受信すると、前記ユーザ装置との接続処理を実行する接続要求処理部と、
第１の管理装置から第２の管理装置へのリルートを指示するリルートメッセージを受信すると、前記第１の管理装置と前記ユーザ装置のためのS1接続を確立することなく、前記リルートメッセージにおけるNAS(Non Access Stratum)情報を前記第２の管理装置に送信するコアネットワーク接続部と、
を有する基地局。
【請求項２】
前記第１の管理装置は、DECORにおけるデフォルトのMME(Mobility Management Entity)を有し、前記第２の管理装置は、DECORにおけるM2M(Machine-to-Machine)専用のMMEを有し、
前記リルートメッセージは、前記ユーザ装置を前記デフォルトのMMEから前記M2M専用のMMEにリルートするよう当該基地局に指示する、請求項１記載の基地局。
【請求項３】
前記コアネットワーク接続部は、前記第１の管理装置に送信した当該基地局による前記ユーザ装置の識別子と前記第２の管理装置による前記ユーザ装置の識別子とを関連付けて、前記第２の管理装置と前記ユーザ装置のためのS1接続を確立する、請求項１又は２記載の基地局。
【請求項４】
前記コアネットワーク接続部は、コアノード選択機能を実行し、前記ユーザ装置から受信した接続要求に基づき、前記ユーザ装置を収容する管理装置として前記第１の管理装置を選択する、請求項１乃至３何れか一項記載の基地局。
【請求項５】
基地局からユーザ装置の接続要求を受信すると、前記ユーザ装置の種別を判定するユーザ種別判定部と、
前記ユーザ装置の種別に応じて、前記ユーザ装置を他の管理装置に収容させるためのリルート処理を実行するリルート処理部と、
を有する管理装置であって、
前記リルート処理部は、当該管理装置による前記ユーザ装置の識別子を付与することなく、前記他の管理装置に接続するためのNAS(Non Access Stratum)情報を含むリルートメッセージを前記基地局に送信する管理装置。
【請求項６】
当該管理装置は、DECORにおけるデフォルトのMME(Mobility Management Entity)を有し、前記他の管理装置は、DECORにおけるM2M(Machine-to-Machine)専用のMMEを有し、
前記リルートメッセージは、前記ユーザ装置を前記デフォルトのMMEから前記M2M専用のMMEにリルートするよう前記基地局に指示する、請求項５記載の管理装置。
【請求項７】
前記リルートメッセージでは、当該管理装置による前記ユーザ装置の識別子は設定されない、請求項５又は６記載の管理装置。
【請求項８】
ユーザ装置をコアネットワークに接続するための接続方法であって、
基地局が、ユーザ装置から接続要求を受信するステップと、
前記基地局が、前記受信した接続要求に基づき前記ユーザ装置を収容する管理装置を選択するステップと、
前記基地局が、前記ユーザ装置のための接続要求を前記選択された管理装置に送信するステップと、
前記選択された管理装置が、前記ユーザ装置の種別を判定するステップと、
前記選択された管理装置が、前記ユーザ装置の種別に応じて、前記ユーザ装置を他の管理装置に収容させるためのリルート処理を実行するステップと、
を有し、
前記リルート処理を実行するステップは、前記選択された管理装置による前記ユーザ装置の識別子を付与することなく、前記他の管理装置に接続するためのNAS(Non Access Stratum)情報を含むリルートメッセージを前記基地局に送信することを含む接続方法。
【発明の詳細な説明】
【技術分野】
【０００１】
本発明は、無線通信システムに関する。
【背景技術】
【０００２】
将来的に、携帯電話やスマートフォンだけでなく、様々なものがインターネットに接続されることが想定されている。このようなIOT(Internet of Things)を実現するための各種技術が現在検討されている。このような技術の１つとして、携帯電話やスマートフォンなどの一般ユーザと、スマートメータやセンサなどのM2M(Machine-to-Machine)ユーザとを区別し、各ユーザ装置を、装置タイプや契約タイプによって、異なるコアネットワーク(CN)に収容するための制御技術として、DECOR(Dedicated Core Network)が、LTE(Long Term Evolution)のRel-13において議論されている。
【０００３】
DECORでは、図１に示されるように、既存のEPC(Evolved Packet Core)に加えて、M2MユーザのためのM2M専用のEPCが備えられる。ユーザ装置(User Equipment: UE)は、基地局(evolved NodeB:eNB)に在圏すると、Attach/TAU(Tracking Area Update)を基地局に送信する。Attach/TAUを受信すると、基地局は、当該Attach/TAUをデフォルトCNである既存のEPCに送信する。当該Attach/TAUを受信すると、既存のEPCは、位置登録要求(Update Location Request:ULR)をIPSCP(IP Service Control Point)又はHSS(Home Subscriber Server)に送信する。IPSCP又はHSSは、位置登録応答(Update Location Answer:ULA)を返し、当該ユーザ装置に関する加入者情報（ユーザ情報、APN(Access Point Name)、UE種別（UE Usage Type）など）を既存のEPCに通知する。既存のEPCは、受信した加入者情報のUE種別を判定し、判定したUE種別に応じてAttach/TAUをリダイレクトする。すなわち、既存のEPCは、UE種別に基づき当該ユーザ装置が一般ユーザ又はM2Mユーザであるか判断する。UE種別が一般ユーザである場合、既存のEPCは、当該ユーザ装置を収容する。他方、UE種別がM2Mユーザである場合、既存のEPCは、Attach/TAUをM2M専用EPC(dedicated CN)にリダイレクトする。このように、DECORによると、低い優先度のM2M端末が輻輳しても、M2MユーザはM2M専用EPCに収容され、一般ユーザへの影響を回避することができる。そのほかに、M2M用の端末を収容するためのネットワークの機能は、通常のユーザを収容するためのネットワーク機能と異なる場合があるため、DECORによって、専用のM2M用の端末を専用のコアネットワークのリソースを割り振ることができ、専用コアネットワークに持たせるべき機能やリソースを効率的に導入することができるメリットがある。
【０００４】
DECORでは、基地局は、Dedicated MMEGI(Mobility Management Entity Group Identity)に基づきNAS (Non Access Stratum)メッセージをM2M専用EPCにリダイレクトする。ここで、DECORを適用しない従来のCN選択制御機能(NAS Node Selection Function:NNSF)では、ユーザ装置から接続要求を受信すると、基地局は、当該ユーザ装置のMME(Mobility Management Entity)を選択する。具体的には、ユーザ装置がInitial Attachにより接続してきた場合、基地局は、RRC Connection Setup Completeに含まれるGUMMEI (Globally Unique MME Identity)又はSelected PLMN (Public Land Mobile Network)を用いて、該当するネットワーク(PLMN)のMMEからランダムに１つのMMEを選択する。一方、ユーザ装置がService Request（Preservation状態からの復帰）又はTAUにより接続してきた場合、基地局は、RRC Connection Requestに含まれるS-TMSI (SAE Temporary Mobile Subscriber Identity)を用いて、該当するMMEへの接続を復帰する。
【０００５】
具体的には、ユーザ装置がService Request又はTAUにより接続してきたケースについて、図２に示されるように、ユーザ装置はまず、S-TMSIを含むRRC Connection Requestを基地局に送信する。RRC Connection Setupを返した後、基地局は、ユーザ装置からRegistered MME及びSelected PLMNを含むRRC Connection Setup Completeを受信する。当該RRC Connection Setup Completeを受信すると、基地局は、NNSFを実行し、Registered MMEに対応するMME#1にInitial UE Messageを送信する。当該Initial UE Messageを受信すると、MME#1は、Initial Context Setup Request及びInitial Context Setup Responseを基地局とやりとりし、基地局とMME#1との間で該当UEに関するS1 Connectionが確立される。
【先行技術文献】
【非特許文献】
【０００６】
【非特許文献１】3GPP TS 36.300 V13.0.0 (2015-06)
【非特許文献２】3GPP TS 36.413 V13.0.0 (2015-06)
【非特許文献３】3GPP TS 23.401 V13.3.0 (2015-06)
【発明の概要】
【発明が解決しようとする課題】
【０００７】
上述したようなNNSFを考慮すると、DECORを適用したNNSFは、図３に示されるようなプロシージャに従うと考えられる。すなわち、図２のプロシージャと同様に、ユーザ装置からRRC Connection Setup Completeを受信すると、基地局は、NAS PDUを含むInitial UE MessageをMME#1に送信する。当該Initial UE Messageを受信すると、MME#1は、ユーザ装置と以前のセッションをやりとりしたMME#2にIdentification Requestを送信する。当該Identification Requestを受信すると、MME#2は、当該ユーザ装置のUE Usage Typeを含むIdentification Responseを返す。UE種別がM2Mユーザであるとすると、MME#1は、当該ユーザ装置をM2M MMEにリダイレクトするため、NAS PDU (Packet Data Unit)及びMMEGIを含むDL(Downlink) NAS TRANSPORTを基地局に送信する。当該DL NAS TRANSPORTを受信すると、基地局は、MMEGIに対応するM2M MMEにInitial UE Messageを送信し、Initial Context Setup Request及びInitial Context Setup ResponseをM2M MMEとやりとりする。これにより、基地局とM2M MMEとの間で該当のUEに関するS1 Connectionが確立される。
【０００８】
ここで、MME#1からのNASメッセージをM2M MMEにリルートするプロシージャがDL NAS TRANSPORTにより実行される場合、S1インタフェース(I/F)上でユーザ装置を一意的に識別するためにS1AP IDが不要に割り振られるという問題がある。すなわち、図４に示されるように、DL NAS TRANSPORTでは、MME UE S1AP IDが必須で設定されるため、MMEはMME UE S1AP IEを設定することになる。この結果、当該時点において、基地局における該当UEを識別するためのeNB UE S1AP ID（図示の例では、eNB UE S1AP ID#1）とMME UE S1AP ID（図示の例では、MME UE S1AP ID#A）とのペアが確立される。一方、次のタイミングでは、基地局は、Initial UE Messageをリルート先のM2M MMEに送信するが、このとき、基地局は、別のeNB UE S1AP ID（図示の例では、eNB UE S1AP ID#2）を再割当てする必要がある。すなわち、eNB UE S1AP ID#1とMME UE S1AP ID#Aとのペアは実質的に利用されることなく削除され、eNB UE S1AP ID#2とMME UE S1AP ID#XとのペアとによるS1 Connectionが確立されることになる。
【０００９】
上述した問題点を鑑み、本発明の課題は、不要な識別子を設定することなくリルート先のMMEとの接続を確立するための技術を提供することである。
【課題を解決するための手段】
【００１０】
上記課題を解決するため、本発明の一態様は、ユーザ装置から接続要求を受信すると、前記ユーザ装置との接続処理を実行する接続要求処理部と、第１の管理装置から第２の管理装置へのリルートを指示するリルートメッセージを受信すると、前記第１の管理装置と前記ユーザ装置のためのS1接続を確立することなく、前記リルートメッセージにおけるNAS(Non Access Stratum)情報を前記第２の管理装置に送信するコアネットワーク接続部とを有する基地局に関する。
【００１１】
本発明の他の態様は、基地局からユーザ装置の接続要求を受信すると、前記ユーザ装置の種別を判定するユーザ種別判定部と、前記ユーザ装置の種別に応じて、前記ユーザ装置を他の管理装置に収容させるためのリルート処理を実行するリルート処理部とを有する管理装置であって、前記リルート処理部は、当該管理装置による前記ユーザ装置の識別子を付与することなく、前記他の管理装置に接続するためのNAS(Non Access Stratum)情報を含むリルートメッセージを前記基地局に送信する管理装置に関する。
【００１２】
本発明の更なる他の態様は、ユーザ装置をコアネットワークに接続するための接続方法であって、基地局が、ユーザ装置から接続要求を受信するステップと、前記基地局が、前記受信した接続要求に基づき前記ユーザ装置を収容する管理装置を選択するステップと、前記基地局が、前記ユーザ装置のための接続要求を前記選択された管理装置に送信するステップと、前記選択された管理装置が、前記ユーザ装置の種別を判定するステップと、前記選択された管理装置が、前記ユーザ装置の種別に応じて、前記ユーザ装置を他の管理装置に収容させるためのリルート処理を実行するステップとを有し、前記リルート処理を実行するステップは、前記選択された管理装置による前記ユーザ装置の識別子を付与することなく、前記他の管理装置に接続するためのNAS(Non Access Stratum)情報を含むリルートメッセージを前記基地局に送信することを含む接続方法に関する。
【発明の効果】
【００１３】
本発明によると、不要な識別子を設定することなくリルート先のMMEとの接続を確立することができる。
【図面の簡単な説明】
【００１４】
【図１】図１は、DECORを説明するための概略図である。
【図２】図２は、NNSFのプロシージャを示すシーケンス図である。
【図３】図３は、DECORを適用したNNSFのプロシージャを示すシーケンス図である。
【図４】図４は、DECORを適用したNNSFのプロシージャを示す詳細なシーケンス図である。
【図５】図５は、本発明の一実施例による無線通信システムを示す概略図である。
【図６】図６は、本発明の一実施例によるDECORを適用したNNSFのプロシージャを示すシーケンス図である。
【図７】図７は、本発明の一実施例によるNAS PDUをリルートするためのプロシージャを示すシーケンス図である。
【図８】図８は、本発明の一実施例によるNAS MESSAGE REROUTEの情報要素を示す図である。
【図９】図９は、本発明の一実施例による基地局の構成を示すブロック図である。
【図１０】図１０は、本発明の一実施例による管理装置の構成を示すブロック図である。
【図１１】図１１は、本発明の一実施例による接続処理を示すシーケンス図である。
【発明を実施するための形態】
【００１５】
以下、図面に基づいて本発明の実施の形態を説明する。
【００１６】
以下の実施例では、DECORにおいてユーザ装置をコアネットワークに接続するための基地局(eNB)及び管理装置(MME)が開示される。後述する実施例を概略すると、DECORにおいてユーザ装置を収容する管理装置をリルートする際、リルート元の管理装置は、該当UEを識別するための識別子(MME UE S1AP ID)を付与することなく、基地局にリルートを指示する。このため、基地局は、従来のDL NAS TRANSPORTによるプロシージャと異なり、リルート元の管理装置により付与されるUEの識別子(MME UE S1AP ID)に対応して識別子(eNB UE S1AP ID)を再設定することが不要になり、リルート元の管理装置に対して既に設定された識別子(eNB UE S1AP ID)を再利用して、リルート先の管理装置との接続(S1 Connection)を確立することができる。
【００１７】
図５を参照して、本発明の一実施例による無線通信システムを説明する。図５は、本発明の一実施例による無線通信システムを示す概略図である。
【００１８】
図５に示されるように、無線通信システム１０は、ユーザ装置(UE)５０、基地局(eNB)１００及び管理装置(EPC)２００を有する。無線通信システム１０は、例えば、LTEシステム又はLTE-Advancedシステムである。図示された実施例では、１つの基地局１００しか示されていないが、無線通信システム１０のサービスエリアをカバーするよう多数の基地局１００が配置される。
【００１９】
ユーザ装置５０は、基地局１００により提供されるセルを介し基地局１００と通信する。典型的には、ユーザ装置５０は、スマートフォン、携帯電話、タブレット、モバイルルータ、ウェアラブル端末、スマートメータ、センサ、フォトフレーム、カーナビ、ゲーム機などの無線通信機能を備えた何れか適切な情報処理装置であってもよい。本実施例では、ユーザ装置５０は、携帯電話やスマートフォンなどの一般ユーザと、スマートメータやセンサなどのM2Mユーザとに区別される。一般的には、一般ユーザによる通信は、M2Mユーザによる通信より高い優先度が付与される。
【００２０】
基地局１００は、ユーザ装置５０と無線接続することによって、管理装置２００を介し各種ネットワーク装置から受信したダウンリンク(DL)パケットをユーザ装置５０に送信すると共に、ユーザ装置５０から受信したアップリンク(UL)パケットをネットワーク装置に送信する。本実施例では、ユーザ装置５０から接続要求を受信すると、基地局１００は、コアノード選択機能(NNSF)を実行し、受信した接続要求に基づきユーザ装置５０を収容する管理装置２００を選択し、eNB UE S1AP IDを含むInitial UE Messageを選択した管理装置２００に送信する。
【００２１】
基地局１００は、典型的には、ユーザ装置５０との間で無線信号を送受信するためのアンテナ、隣接する基地局１００と通信するための通信インタフェース（X2インタフェースなど）、管理装置２００と通信するための通信インタフェース（S1インタフェースなど）、ユーザ装置５０及び管理装置２００との送受信信号を処理するためのプロセッサや回路などのハードウェアリソースにより構成される。後述される基地局１００の各機能及び処理は、メモリ装置に格納されているデータやプログラムをプロセッサが処理又は実行することによって実現されてもよい。しかしながら、基地局１００は、上述したハードウェア構成に限定されず、他の何れか適切なハードウェア構成を有してもよい。
【００２２】
管理装置２００は、EPCやMMEを含むコアネットワークを構成する。本実施例では、基地局１００及び管理装置２００はDECORをサポートする。すなわち、管理装置２００は、基地局１００から受信したユーザ装置５０のAttach/TAUやService Requestなどの接続要求に対してユーザ装置５０の種別を判定する。判定結果に応じて、一般ユーザはデフォルトの管理装置２００に収容され、M2MユーザはM2M専用の管理装置２００に収容される。管理装置２００は、典型的には、サーバなどにより実現され、後述される管理装置２００の各機能及び処理は、メモリ装置に格納されているデータやプログラムをプロセッサが処理又は実行することによって実現されてもよい。しかしながら、管理装置２００は、上述したハードウェア構成に限定されず、他の何れか適切なハードウェア構成を有してもよい。
【００２３】
次に、図６〜８を参照して、本発明の一実施例によるDECORにおいてユーザ装置をコアネットワークに接続するための処理を説明する。図６は、本発明の一実施例によるDECORを適用したNNSFのプロシージャを示すシーケンス図である。
【００２４】
図６に示されるように、ステップＳ１０１において、ユーザ装置５０がRRC Connection Requestを基地局１００に送信すると、RRC Connection Setup及びRRC Connection Setup Completeのやりとりを介し、ユーザ装置５０と基地局１００との間で接続処理が実行される。
【００２５】
ステップＳ１０２において、基地局１００は、RRC Connection Requestに含まれるS-TMSI又はRRC Connection Setup Completeに含まれるRegistered MME, Selected PLMNに基づきNNSFを実行し、ユーザ装置５０を収容する管理装置２０１(New MME#1）を決定する。
【００２６】
ステップＳ１０３において、基地局１００は、管理装置２０１にeNB UE S1AP IDを含むInitial UE Messageを送信する。
【００２７】
ステップＳ１０４において、管理装置２０１は、受信したInitial UE Messageに基づきユーザ装置５０を特定する。図示した例では、管理装置２０１は、ユーザ装置５０が以前のセッションで管理装置２０２(Old MME#2)に収容されていたことを特定し、管理装置２０２にIdentification Requestを送信する。当該Identification Requestを受信すると、管理装置２０２は、ユーザ装置５０の種別を示すUE Usage Typeを含むIdentification Responseを管理装置２０１に返す。
【００２８】
ステップＳ１０５において、管理装置２０１は、DECORを適用するためユーザ装置５０の種別を判定し、判定した種別に応じてユーザ装置５０を収容する管理装置２００を決定する。図示された例では、ユーザ装置５０はM2Mユーザであると判定され、管理装置２０１は、ユーザ装置５０を収容する管理装置２００として管理装置２０３(Second MME）を選択し、接続要求を管理装置２０３にリダイレクトするために、NAS Rerouting Commandを基地局１００に通知する。図４に示される従来のプロシージャでは、DL NAS TRANSPORTが実行され、DL NAS TRANSPORTにおいて付与されたMME UE S1AP IDに対応してeNB UE S1AP IDが再設定された。しかしながら、本実施例では、管理装置２０１は、ステップＳ１０４において受信したInitial UE Messageに含まれるeNB UE S1AP IDを利用し、MME UE S1AP IDを付与することなくNAS Rerouting Commandを基地局１００に送信する。このため、基地局１００は、MME UE S1AP IDに対応して新たなeNB UE S1AP IDを設定することが不要になる。
【００２９】
具体的には、図７に示されるように、管理装置２０１は、ユーザ装置５０の識別子(MME S1AP ID)を付与することなく、管理装置２０３に接続するためのNAS情報を含む、管理装置２０１から管理装置２０３へのリルートを指示するリルートメッセージ(NAS MESSAGE REROUTE)を基地局１００に送信する。
【００３０】
ステップＳ１０６において、当該リルートメッセージを受信すると、基地局１００は、新たなeNB UE S1AP IDを設定することなく、設定済みのeNB UE S1AP IDを含むInitial UE Messageを管理装置２０３に送信し、Initial Context Setup Request及びInitial Context Setup Responseをやりとりする。
【００３１】
ステップＳ１０７において、基地局１００と管理装置２０３との間でS1 Connectionが確立され、ステップＳ１０４において設定したeNB UE S1AP IDと管理装置２０３により付与されたMME UE S1AP IDとが関連付けされる。
【００３２】
上述したように、NAS MESSAGE REROUTEは、管理装置２０１によって送信され、NAS情報が管理装置２０３にリルートされる必要があることを基地局１００に通知するのに利用される。NAS MESSAGE REROUTEには、図８に示されるように、Message Type, eNB UE S1AP ID, MME GI NAS-PDUの情報要素(IE)が必須として含まれてもよいが、管理装置２０１を特定するMME GIは、無視(ignore)されるよう設定されてもよい。他の例では、NAS MESSAGE REROUTEには、図８に示されるように、Message Type, eNB UE S1AP ID, MME GI, NAS-PDUの必須の情報要素(IE)に加えて、MME UE S1AP IDが任意的な情報要素(IE)として含まれてもよいが、同様に、管理装置２０１を特定するMME UE S1AP ID, MME GIは、無視(ignore)されるよう設定されてもよい。
【００３３】
次に、図９を参照して、本発明の一実施例による基地局を説明する。図９は、本発明の一実施例による基地局の構成を示すブロック図である。
【００３４】
図９に示されるように、基地局１００は、接続要求処理部１１０及びコアネットワーク接続部１２０を有する。
【００３５】
接続要求処理部１１０は、ユーザ装置５０から接続要求を受信すると、ユーザ装置５０との接続処理を実行する。具体的には、接続要求処理部１１０は、RRC Connection Request, RRC Connection Setup, RRC Connection Setup Completeをユーザ装置５０とやりとりする。
【００３６】
コアネットワーク接続部１２０は、管理装置２０１から管理装置２０３へのリルートを指示するリルートメッセージを受信すると、管理装置２０１とユーザ装置５０のためのS1接続を確立することなく、リルートメッセージにおけるNAS情報を管理装置２０３に送信する。すなわち、管理装置２０１から受信したNAS MESSAGE REROUTEには管理装置２０１によるS1 Connectionにおけるユーザ装置５０の識別子(MME UE S1AP ID)が付与されていない、又は無視するよう指示されているため、コアネットワーク接続部１２０は、当該MME UE S1AP IDに対応するeNB UE S1AP IDを設定する必要がない。このため、コアネットワーク接続部１２０は、管理装置２０１にInitial UE Messageを送信する際に設定したeNB UE S1AP IDを再利用し、当該eNB UE S1AP IDを含むInitial UE Messageを管理装置２０３に送信できる。
【００３７】
一実施例では、管理装置２０１は、DECORにおけるデフォルトのMMEを有し、管理装置２０３は、DECORにおけるM2M専用のMMEを有してもよく、リルートメッセージは、ユーザ装置５０をデフォルトのMMEからM2M専用のMMEにリルートするよう基地局１００に指示するものであってもよい。従来のDL NAS TRANSPORTと異なり、当該リルートメッセージでは、管理装置２０１によるユーザ装置５０の識別子(MME UE S1AP ID)が付与されていないか、又は無視するよう設定されている。このため、コアネットワーク接続部１２０は、管理装置２０１によるユーザ装置５０の識別子に対応して基地局１００によるユーザ装置５０の識別子(eNB UE S1AP ID)を再設定することが不要になる。
【００３８】
一実施例では、コアネットワーク接続部１２０は、管理装置２０１に送信した基地局１００によるユーザ装置５０の識別子と管理装置２０３によるユーザ装置５０の識別子とを関連付けて、管理装置２０３とユーザ装置５０のためのS1接続を確立してもよい。上述したように、コアネットワーク接続部１２０は、管理装置２０１によるユーザ装置５０の識別子(MME UE S1AP ID)に対応して基地局１００によるユーザ装置５０の識別子(eNB UE S1AP ID)を再設定しなくてよい。このため、コアネットワーク接続部１２０は、Initial UE Messageを管理装置２０１に送信する際に設定した基地局１００の識別子(eNB UE S1AP ID)を再利用し、当該識別子を含むInitial UE Messageをリルート先の管理装置２０３に送信し、当該識別子と管理装置２０３によるユーザ装置５０の識別子(MME UE S1AP ID)とのペアによってS1 Connectionを確立することができる。
【００３９】
一実施例では、コアネットワーク接続部１２０は、コアノード選択機能を実行し、ユーザ装置５０から受信した接続要求に基づき、ユーザ装置５０を収容する管理装置として管理装置２０１を選択してもよい。例えば、ユーザ装置５０がInitial Attachにより接続してきた場合、コアネットワーク接続部１２０は、RRC Connection Setup CompleteのGUMMEI又はSelected PLMNを用いて、管理装置２０１を選択してもよい。あるいは、ユーザ装置５０がService Request又はTAUにより接続してきた場合、コアネットワーク接続部１２０は、RRC Connection RequestのS-TMSIを用いて、管理装置２０１を選択してもよい。
【００４０】
次に、図１０を参照して、本発明の一実施例による管理装置を説明する。図１０は、本発明の一実施例による管理装置の構成を示すブロック図である。
【００４１】
図１０に示されるように、管理装置２００は、上述した例におけるリルート元の管理装置２０１であり、ユーザ種別判定部２１０及びリルート処理部２２０を有する。
【００４２】
ユーザ種別判定部２１０は、基地局１００からユーザ装置５０の接続要求を受信すると、ユーザ装置５０の種別を判定する。具体的には、ユーザ装置５０がInitial Attachにより接続してきた場合、ユーザ種別判定部２１０は、上位局(IPSCP/HSSなど)からユーザ装置５０の加入者情報を取得し、ユーザ装置５０の種別(UE Usage Type)を判定してもよい。あるいは、ユーザ装置５０がService Request又はTAUにより接続してきた場合、ユーザ種別判定部２１０は、以前のセッションにおいてユーザ装置５０を収容していた管理装置２０２からユーザ装置５０の種別(UE Usage Type)を取得してもよい。
【００４３】
リルート処理部２２０は、ユーザ装置５０の種別に応じて、ユーザ装置５０を他の管理装置２０３に収容させるためのリルート処理を実行し、管理装置２０１によるユーザ装置５０の識別子を付与することなく、管理装置２０３に接続するためのNAS情報を含むリルートメッセージを基地局１００に送信する。具体的には、ユーザ装置５０がM2Mユーザである場合、リルート処理部２２０は、管理装置２０１によるユーザ装置５０の識別子(MME UE S1AP ID)を付与することなく、デフォルトの管理装置２０１からM2M専用の管理装置２０３へのリルートを指示するNAS MESSAGE REROUTEを基地局１００に通知する。従来のDL NAS TRANSPORTと異なり、本発明によるNAS MESSAGE REROUTEでは、管理装置２０１によるユーザ装置５０の識別子(MME UE S1AP ID)が付与されていないか、又は無視するよう設定されている。このため、当該NAS MESSAGE REROUTEを受信したことに応答して、基地局１００は、管理装置２０１によるユーザ装置５０の識別子(MME UE S1AP ID)に対応して基地局１００によるユーザ装置５０の識別子(eNB UE S1AP ID)を再設定する必要がなく、設定済みの基地局の識別子(eNB UE S1AP ID)を管理装置２０３に対して再利用できる。
【００４４】
一実施例では、管理装置２０１は、DECORにおけるデフォルトのMMEを有し、他の管理装置２０３は、DECORにおけるM2M専用のMMEを有し、リルートメッセージは、ユーザ装置５０をデフォルトのMMEからM2M専用のMMEにリルートするよう基地局１００に指示するものであってもよい。従来のDL NAS TRANSPORTと異なり、当該リルートメッセージでは、管理装置２０１によるユーザ装置５０の識別子(MME UE S1AP ID)が付与されていないか、又は無視するよう設定されている。このため、基地局１００は、管理装置２０１によるユーザ装置５０の識別子(MME UE S1AP ID)に対応して基地局１００によるユーザ装置５０の識別子(eNB UE S1AP ID)を再設定することが不要になる。
【００４５】
次に、図１１を参照して、本発明の一実施例によるユーザ装置５０をコアネットワークに接続するための接続処理を説明する。図１１は、本発明の一実施例による接続処理を示すシーケンス図である。
【００４６】
ステップＳ２０１において、基地局１００は、ユーザ装置５０から接続要求を受信する。具体的には、基地局１００は、RRC Connection Request, RRC Connection Setup Completeを受信する。
【００４７】
ステップＳ２０２において、基地局１００は、受信した接続要求に基づきユーザ装置５０を収容する管理装置２００を選択する。具体的には、基地局１００は、NNSFを実行し、受信した接続要求に基づきユーザ装置５０を収容する管理装置２０１を決定する。
【００４８】
ステップＳ２０３において、基地局１００は、ユーザ装置５０のための接続要求を選択された管理装置２０１に送信する。具体的には、基地局１００は、eNB UE S1AP IDを含むInitial UE Messageを管理装置２０１に送信する。
【００４９】
ステップＳ２０４において、管理装置２０１は、ユーザ装置５０の種別を判定する。例えば、ユーザ装置５０がInitial Attachにより接続してきた場合、管理装置２０１は、上位局(IPSCP/HSSなど)からユーザ装置５０の加入者情報を取得し、ユーザ装置５０の種別(UE Usage Type)を判定してもよい。あるいは、ユーザ装置５０がService Request又はTAUにより接続してきた場合、管理装置２０１は、以前のセッションにおいてユーザ装置５０を収容していた管理装置２０２からユーザ装置５０の種別(UE Usage Type)を取得してもよい。
【００５０】
ステップＳ２０５において、管理装置２０１は、ユーザ装置５０の種別に応じて、ユーザ装置５０を他の管理装置２０３に収容させるためのリルート処理を実行する。ここで、管理装置２０１は、管理装置２０１によるユーザ装置５０の識別子(MME UE S1AP ID)を付与することなく、管理装置２０３に接続するためのNAS情報を含むリルートメッセージを基地局１００に送信する。具体的には、ユーザ装置５０がM2Mユーザである場合、管理装置２０１は、管理装置２０１によるユーザ装置５０の識別子(MME UE S1AP ID)を付与することなく、管理装置２０１からM2M専用の管理装置２０３へのリルートを指示するNAS MESSAGE REROUTEを基地局１００に通知する。当該NAS MESSAGE REROUTEを受信すると、基地局１００は、すでに設定されている基地局によるユーザ装置５０の識別子(eNB UE S1AP ID)を含むInitial UE Messageを管理装置２０３に送信し、再利用された識別子(eNB UE S1AP ID)によって管理装置２０３とのS1 Connectionを確立することができる。
【００５１】
以上、本発明の実施例について詳述したが、本発明は上述した特定の実施形態に限定されるものではなく、特許請求の範囲に記載された本発明の要旨の範囲内において、種々の変形・変更が可能である。
【符号の説明】
【００５２】
１０  無線通信システム
５０  ユーザ装置
１００  基地局
２００  管理装置
【図２】
2017038323.tif 000003
【図３】
2017038323.tif 000004
【図４】
2017038323.tif 000005
【図６】
2017038323.tif 000006
【図７】
2017038323.tif 000007
【図８】
2017038323.tif 000008
【図９】
2017038323.tif 000009
【図１０】
2017038323.tif 000010
【図１１】
2017038323.tif 000011
【図１】
2017038323.tif 000012
【図５】
2017038323.tif 000013
【手続補正書】
【提出日】平成28年12月26日(2016.12.26)
【手続補正１】
【補正対象書類名】特許請求の範囲
【補正対象項目名】全文
【補正方法】変更
【補正の内容】
【特許請求の範囲】
【請求項１】
基地局であって、
ユーザ装置から接続要求を受信すると、前記ユーザ装置との接続処理を実行するために設定された前記基地局による前記ユーザ装置の識別子を含むメッセージを第１の管理装置に送信する接続要求処理部と、
前記第１の管理装置による前記ユーザ装置の識別子を付与することなく前記基地局による前記ユーザ装置の識別子が設定された前記第１の管理装置から第２の管理装置へのリルートを指示するリルートメッセージを受信すると、前記リルートメッセージにおけるNAS(Non Access Stratum)情報を前記第２の管理装置に送信するコアネットワーク接続部と、
を有する基地局。
【請求項２】
前記第１の管理装置は、DECORにおけるデフォルトのMME(Mobility Management Entity)を有し、前記第２の管理装置は、DECORにおけるM2M(Machine-to-Machine)専用のMMEを有し、
前記リルートメッセージは、前記ユーザ装置を前記デフォルトのMMEから前記M2M専用のMMEにリルートするよう当該基地局に指示する、請求項１記載の基地局。
【請求項３】
前記コアネットワーク接続部は、前記第１の管理装置に送信した当該基地局による前記ユーザ装置の識別子と前記第２の管理装置による前記ユーザ装置の識別子とを関連付けて、前記第２の管理装置と前記ユーザ装置のためのS1接続を確立する、請求項１又は２記載の基地局。
【請求項４】
前記コアネットワーク接続部は、コアノード選択機能を実行し、前記ユーザ装置から受信した接続要求に基づき、前記ユーザ装置を収容する管理装置として前記第１の管理装置を選択する、請求項１乃至３何れか一項記載の基地局。
【請求項５】
基地局からユーザ装置の接続要求を受信すると、前記ユーザ装置の種別を判定するユーザ種別判定部と、
前記ユーザ装置の種別に応じて、前記ユーザ装置を他の管理装置に収容させるためのリルート処理を実行するリルート処理部と、
を有する管理装置であって、
前記リルート処理部は、当該管理装置による前記ユーザ装置の識別子を付与することなく前記基地局による前記ユーザ装置の識別子が設定された前記他の管理装置に接続するためのNAS(Non Access Stratum)情報を含むリルートメッセージを前記基地局に送信する管理装置。
【請求項６】
当該管理装置は、DECORにおけるデフォルトのMME(Mobility Management Entity)を有し、前記他の管理装置は、DECORにおけるM2M(Machine-to-Machine)専用のMMEを有し、
前記リルートメッセージは、前記ユーザ装置を前記デフォルトのMMEから前記M2M専用のMMEにリルートするよう前記基地局に指示する、請求項５記載の管理装置。
【請求項７】
前記リルートメッセージでは、当該管理装置による前記ユーザ装置の識別子は設定されない、請求項５又は６記載の管理装置。
【請求項８】
ユーザ装置をコアネットワークに接続するための接続方法であって、
基地局が、ユーザ装置から接続要求を受信するステップと、
前記基地局が、前記受信した接続要求に基づき前記ユーザ装置を収容する管理装置を選択するステップと、
前記基地局が、前記ユーザ装置のための接続要求を前記選択された管理装置に送信するステップと、
前記選択された管理装置が、前記ユーザ装置の種別を判定するステップと、
前記選択された管理装置が、前記ユーザ装置の種別に応じて、前記ユーザ装置を他の管理装置に収容させるためのリルート処理を実行するステップと、
を有し、
前記リルート処理を実行するステップは、前記選択された管理装置による前記ユーザ装置の識別子を付与することなく前記基地局による前記ユーザ装置の識別子が設定された前記他の管理装置に接続するためのNAS(Non Access Stratum)情報を含むリルートメッセージを前記基地局に送信することを含む接続方法。
【手続補正２】
【補正対象書類名】明細書
【補正対象項目名】００１０
【補正方法】変更
【補正の内容】
【００１０】
上記課題を解決するため、本発明の一態様は、基地局であって、ユーザ装置から接続要求を受信すると、前記ユーザ装置との接続処理を実行するために設定された前記基地局による前記ユーザ装置の識別子を含むメッセージを第１の管理装置に送信する接続要求処理部と、前記第１の管理装置による前記ユーザ装置の識別子を付与することなく前記基地局による前記ユーザ装置の識別子が設定された前記第１の管理装置から第２の管理装置へのリルートを指示するリルートメッセージを受信すると、前記リルートメッセージにおけるNAS(Non Access Stratum)情報を前記第２の管理装置に送信するコアネットワーク接続部とを有する基地局に関する。
【手続補正３】
【補正対象書類名】明細書
【補正対象項目名】００１１
【補正方法】変更
【補正の内容】
【００１１】
本発明の他の態様は、基地局からユーザ装置の接続要求を受信すると、前記ユーザ装置の種別を判定するユーザ種別判定部と、前記ユーザ装置の種別に応じて、前記ユーザ装置を他の管理装置に収容させるためのリルート処理を実行するリルート処理部とを有する管理装置であって、前記リルート処理部は、当該管理装置による前記ユーザ装置の識別子を付与することなく前記基地局による前記ユーザ装置の識別子が設定された前記他の管理装置に接続するためのNAS(Non Access Stratum)情報を含むリルートメッセージを前記基地局に送信する管理装置に関する。
【手続補正４】
【補正対象書類名】明細書
【補正対象項目名】００１２
【補正方法】変更
【補正の内容】
【００１２】
本発明の更なる他の態様は、ユーザ装置をコアネットワークに接続するための接続方法であって、基地局が、ユーザ装置から接続要求を受信するステップと、前記基地局が、前記受信した接続要求に基づき前記ユーザ装置を収容する管理装置を選択するステップと、前記基地局が、前記ユーザ装置のための接続要求を前記選択された管理装置に送信するステップと、前記選択された管理装置が、前記ユーザ装置の種別を判定するステップと、前記選択された管理装置が、前記ユーザ装置の種別に応じて、前記ユーザ装置を他の管理装置に収容させるためのリルート処理を実行するステップとを有し、前記リルート処理を実行するステップは、前記選択された管理装置による前記ユーザ装置の識別子を付与することなく前記基地局による前記ユーザ装置の識別子が設定された前記他の管理装置に接続するためのNAS(Non Access Stratum)情報を含むリルートメッセージを前記基地局に送信することを含む接続方法に関する。